(57)【要約】【解決手段】本発明の波長多重伝送システムは、波長の異なるデータ信号と映像信号を１本の光ファイバに重畳して伝送する際に前記データ信号や前記データ信号と映像信号の合波信号のうちのデータ信号を所定量減衰させる手段を設けて伝送する。前記データ信号を所定量減衰させる手段として映像信号とデータ信号を重畳する前にデータ信号を光減衰器等により減衰させたり、映像信号とデータ信号を重畳した後に光減衰器等により減衰させたりする。また、映像信号とデータ信号を重畳した後にこの重畳した信号を分岐して減衰させる。【効果】本発明によれば、光パワーが高強度化し、光伝送が長距離化するほど顕著になる相互位相変調（ＸＰＭ）による信号に対する干渉性のノイズの発生を抑制することができる。【選択図】図１
2006129327.tif 000002
【特許請求の範囲】
【請求項１】
波長の異なる映像信号とデータ信号を１本の光ファイバに重畳して伝送する波長多重伝送システムにおいて、前記データ信号を所定量減衰させる手段を設けて伝送することを特徴とする波長多重伝送システム。
【請求項２】
前記映像信号とデータ信号を合波用光カプラにより重畳する前に前記データ信号を減衰させる手段を設けることを特徴とする請求項１記載の波長多重伝送システム。
【請求項３】
前記データ信号を減衰させる手段として光減衰器または光減衰ファイバを用いることを特徴とする請求項１または請求項２記載の波長多重伝送システム。
【請求項４】
前記光減衰器または光減衰ファイバは１．４９μｍの波長のデータ信号を減衰させるものであることを特徴とする請求項３記載の波長多重伝送システム。
【請求項５】
波長の異なる映像信号とデータ信号を１本の光ファイバに重畳して伝送する波長多重伝送システムにおいて、前記映像信号とデータ信号を合波用光カプラにより重畳した後の合波信号を減衰させる手段を設けることを特徴とする波長多重伝送システム。
【請求項６】
前記合波信号のうち、前記データ信号のみを減衰させる手段を設けることを特徴とする請求項５記載の波長多重伝送システム。
【請求項７】
前記データ信号のみを減衰させる手段として光減衰器または光減衰ファイバを用いることを特徴とする請求項６記載の波長多重伝送システム。
【請求項８】
前記光減衰器または光減衰ファイバは１．４９μｍの波長のデータ信号を減衰させるものであることを特徴とする請求項７記載の波長多重伝送システム。
【請求項９】
前記合波信号を減衰させる手段は、前記映像信号とデータ信号を合波用光カプラにより重畳した直後に設けることを特徴とする請求項５から請求項８までのいずれかの請求項に記載の波長多重伝送システム。
【請求項１０】
波長の異なる映像信号とデータ信号を１本の光ファイバに重畳して伝送する波長多重伝送システムにおいて、前記映像信号とデータ信号を合波用光カプラにより重畳した後の合波信号を分岐用光カプラにより分岐して減衰させるものであることを特徴とする波長多重伝送システム。
【請求項１１】
前記分波用光カプラは前記映像信号とデータ信号を合波用光カプラにより重畳した直後に設けることを特徴とする請求項１０記載の波長多重伝送システム。
【発明の詳細な説明】
【技術分野】
【０００１】
本発明は、波長の異なるデータ信号や映像信号を１本の光ファイバに重畳して伝送する波長多重伝送システムに関する。
【背景技術】
【０００２】
近年、情報通信ネットワークの進展に伴い、例えばＣＡＴＶ光伝送システムやＦＴＴＨ光伝送システム等１本の光ファイバに異なる波長の信号を重畳して伝送する波長多重伝送システムが提案されている。これは光増幅器の高出力化、低ＮＦ（Ｎｏｉｓｅ  Ｆｉｇｕｒｅ）化が可能になったこと、外部変調方式の光送信機の出現によりアナログの映像信号がＦＴＴＨ上に伝送されるようになったこと等が挙げられる。
【０００３】
このうちＣＡＴＶ光伝送システムは７０〜７７０ＭＨｚの伝送帯域で最大７７チャンネル程度の放送波を周波数多重し、光信号に変換して伝送するものである。このＣＡＴＶ光伝送システムには直接変調方式と外部変調方式の２種類がある。
【０００４】
直接変調方式によるＣＡＴＶ光伝送システムは半導体レーザ（ＬＤ）の電流を映像信号によって変調し、光信号を直接変調、出力させるものである（例えば、特許文献１参照）。直接変調方式ではＬＤのチャーピングと呼ばれる現象により光スペクトルの広がりが発生し、光分散の影響が出やすくなるが安価に構成できる。一方、外部変調方式によるＣＡＴＶ光伝送システムはＬＤでの変調を行わず、外部変調素子を用いて信号変調を行うもので、チャーピング特性に優れているが外部に変調器を設ける必要があるためにコスト面で直接変調方式より高価になる（例えば、特許文献２参照）。
【０００５】
また、ＦＴＴＨ光伝送システムは、各加入者までのアクセス区間を光ファイバ化し、高速な情報通信環境を整備するという構想で、光ファイバ伝送路の途中に受動的な分岐装置（光カプラ）を設けて伝送路を例えば２〜３２本に分岐させたスター型ネットワークであるＰＯＮ（Ｐａｓｓｉｖｅ  Ｏｐｔｉｃａｌ  Ｎｅｔｗｏｒｋ）による光配線形態を構成している（例えば、特許文献３参照）。
【０００６】
【特許文献１】特開昭６３−１６９８３６号公報
【特許文献２】特開２００４−１２０７５３号公報
【特許文献３】特開平６−１７７８４０号公報
【発明の開示】
【発明が解決しようとする課題】
【０００７】
ところで、上記のような従来の技術には、次のような解決すべき課題があった。
【０００８】
即ち、１本の光ファイバに光カプラを用いてデータ信号と光増幅器で増幅された映像信号を重畳して伝送させた場合にしばしば相互位相変調（ＸＰＭ；Ｃｒｏｓｓ−Ｐｈａｓｅ  Ｍｏｄｕｌａｔｉｏｎ）と呼ばれる現象が生じ、お互いの信号に干渉性のノイズが発生する場合がある。特に映像信号がアナログ方式の場合、データ信号の影響により受信した映像のノイズが顕著に現れる。このＸＰＭは光ファイバに入射する光パワーが強いほど、また光ファイバが長距離になるほど影響が大きくなる。従って、情報通信ネットワークの発展に伴い光ファイバがより長距離化し、光パワーがより高強度化すればこのＸＰＭの影響は無視できない問題となる。
【０００９】
上記問題を回避するために映像信号とデータ信号を別々の光ファイバで伝送する２心光ファイバ伝送方式も考えられるが、伝送路には多心数の光ファイバが必要となり、コスト面で高価なものとなりまたシステム構成上からも煩雑となるので好ましくない。
【００１０】
本発明は従来から用いられている１心光ファイバ伝送方式において、ＸＰＭの影響をなくし、データ信号と映像信号それぞれにノイズが発生しない波長多重伝送システムを実現するものである。
【課題を解決するための手段】
【００１１】
本発明は以上の点を解決するため次のような構成からなるものである。
【００１２】
即ち、本発明はまず第１の態様として、波長の異なる映像信号とデータ信号を１本の光ファイバに重畳して伝送する波長多重伝送システムにおいて、前記データ信号を所定量減衰させる手段を設けて伝送することを特徴とする。
【００１３】
また、第２の態様として、前記第１の態様において、前記映像信号とデータ信号を合波用光カプラにより重畳する前に前記データ信号を減衰させる手段を設けることを特徴とする。
【００１４】
さらに、第３の態様として、前記第１の態様または第２の態様において、前記データ信号を減衰させる手段として光減衰器または光減衰ファイバを用いることを特徴とする。
【００１５】
また、第４の態様として、前記第３の態様において、前記光減衰器または光減衰ファイバは１．４９μｍの波長のデータ信号を減衰させるものであることを特徴とする。
【００１６】
さらに、第５の態様として、波長の異なる映像信号とデータ信号を１本の光ファイバに重畳して伝送する波長多重伝送システムにおいて、前記映像信号とデータ信号を合波用光カプラにより重畳した後の合波信号を減衰させる手段を設けることを特徴とする。
また、第６の態様として、前記第５の態様において、前記合波信号のうち、前記データ信号のみを減衰させる手段を設けることを特徴とする。
【００１７】
さらに、第７の態様として、前記第６の態様において、前記データ信号のみを減衰させる手段として光減衰器または光減衰ファイバを用いることを特徴とする。
また、第８の態様として、前記第７の態様において、前記光減衰器または光減衰ファイバは１．４９μｍの波長のデータ信号を減衰させるものであることを特徴とする。
さらに、第９の態様として、前記第５の態様から第８の態様のいずれかの態様において、前記合波信号を減衰させる手段は、前記映像信号とデータ信号を合波用光カプラにより重畳した直後に設けることを特徴とする。
【００１８】
また、第１０の態様として、波長の異なる映像信号とデータ信号を１本の光ファイバに重畳して伝送する波長多重伝送システムにおいて、前記映像信号とデータ信号を合波用光カプラにより重畳した後の合波信号を分岐用光カプラにより分岐して減衰させるものであることを特徴とする。
【００１９】
さらに、第１１の態様として、前記第１０の態様において、前記分波用光カプラは前記映像信号とデータ信号を合波用光カプラにより重畳した直後に設けることを特徴とする。
【発明の効果】
【００２０】
本発明によれば、データ信号を所定量減衰させることによりＸＰＭの影響をなくし、データ信号、映像信号それぞれにノイズの発生のない波長多重伝送システムを提供できる。
【発明を実施するための最良の形態】
【００２１】
以下、本発明の実施の形態について図を用いて説明する。
【００２２】
図１は本発明の波長多重伝送システムの第一の実施の形態を表す構成例である。図１において、本発明の波長多重伝送システム１は、まず映像信号を伝送するために、放送受信設備２と例えば同軸ケーブル等のケーブル３１により接続されている光変調器４、この光変調器４と光ファイバ５１により接続されている光増幅器６、そしてこの光増幅器６と光ファイバ５２により接続されている合波用光カプラ７から構成されている。
【００２３】
一方データ信号を伝送するために、各種サーバやインターネット上位設備などの機器類８とＵＴＰケーブル（Ｕｎｓｈｉｅｌｄｅｄ  Ｔｗｉｓｔｅｄ  Ｐａｉｒ  Ｃａｂｌｅ）等のケーブル３２により接続されているＧＥ−ＰＯＮ（Ｇｉｇａｂｉｔ  Ｅｔｈｅｒ−Ｐａｓｓｉｖｅ  Ｏｐｔｉｃａｌ  Ｎｅｔｗｏｒｋ）センター側装置９、そしてこのＧＥ−ＰＯＮセンター側装置９とやはり光ファイバ５３により接続されている前記した合波用光カプラ７から構成されているが、ＧＥ−ＰＯＮセンター側装置９と合波用光カプラ７との間の光ファイバ５３の途中にデータ信号を減衰させる手段として光減衰器１０が挿入されている。
【００２４】
前記合波用光カプラ７は長距離伝送用光ファイバ５４により分波用光カプラ（波長フィルタ）１１と接続され、光ファイバ５５によりＧＥ−ＰＯＮ加入者側装置１２、光ファイバ５６により光映像受信機１３に接続されるようになっている。さらにＧＥ−ＰＯＮ加入者側装置１２はＵＴＰケーブル等のケーブル３３により図示しないパソコン（ＰＣ）やスイッチングハブ（ＳＷ−ＨＵＢ）等に接続され、光映像受信機１３は同軸ケーブル等のケーブル３４によりやはり図示しない映像受像設備等に接続されている。
【００２５】
上記のような構成を有する本実施の形態の波長多重伝送システム１の作用を説明すると、まず放送受信設備２からの映像信号がケーブル３１により伝送されて光変調器４により光信号に変調され、光ファイバ５１により光増幅器６に入力される。そしてこの光増幅器６により増幅された映像信号は合波用光カプラ７に入力される。一方、各種サーバやインターネット上位設備などの機器類８からのデータ信号はケーブル３２により伝送されてＧＥ−ＰＯＮセンター側装置９に入力される。
【００２６】
このデータ信号が例えば＋２．５ｄＢｍの光出力パワー強度を有している場合には、映像信号とデータ信号とが重畳された信号にＸＰＭが生じないためにはデータ信号を−２ｄＢｍ以下にする必要がある。そこでデータ信号を減衰させる手段としてＧＥ−ＰＯＮセンター側装置９と合波用光カプラ７との間の光ファイバ５３からなる伝送路の途中に光減衰器１０を設けてデータ信号を減衰させる。このようにすると映像信号とデータ信号とが重畳された信号にＸＰＭが生じることがなくなるために映像信号とデータ信号それぞれにノイズが発生しないようになる。
【００２７】
なお、本実施の形態ではデータ信号を減衰させる手段として光減衰器を用いた例で説明しているが、光減衰器に代えて光減衰ファイバを用いてもよい。この時に用いる光減衰器や光減衰ファイバは、データ信号が１．４９μｍの波長の信号を用いるために１．４９μｍの波長を主体的に減衰させるような機能を有するものであることが好ましい。
【００２８】
次に本発明の波長多重伝送システムの第二の実施の形態について説明する。図２は本発明の波長多重伝送システムの第二の実施の形態を表す構成例である。なお、以後図１において説明した箇所と同一の箇所は同一の番号で表すこととする。
【００２９】
図２において、本発明の波長多重伝送システム１は、まず映像信号を伝送するために、放送受信設備２とケーブル３１により接続されている光変調器４、この光変調器４と光ファイバ５１により接続されている光増幅器６、この光増幅器６とやはり光ファイバ５２により接続されている合波用光カプラ７から構成され、一方データ信号を伝送するために、各種サーバやインターネット上位設備などの機器類８とケーブル３２により接続されているＧＥ−ＰＯＮセンター側装置９、このＧＥ−ＰＯＮセンター側装置９と光ファイバ５３により接続されている前記した合波用光カプラ７から構成されているが、本第二の実施の形態では合波用光カプラ７に接続されている長距離伝送用光ファイバ５４の途中、即ち合波用光カプラ７のすぐ後に合波用光カプラ７により合波された信号を減衰させる手段として光減衰器１０が挿入されている。
【００３０】
ここで、光減衰器１０は上記したように合波された信号を減衰させるものであるが、実質的には合波信号のうちのＸＰＭの発生に影響の大きい１．４９μｍの波長のデータ信号のみを減衰させるものであることが好ましい。なお、光減衰器１０の挿入個所は特に限定されないが、光信号の伝送距離が長くなるほどＸＰＭの影響が大きくなるためにできる限り合波用光カプラ７の直後に設けることが望ましい。
【００３１】
そして、合波用光カプラ７は光減衰器１０を介して長距離伝送用光ファイバ５４により分波用光カプラ１１と接続され、光ファイバ５５によりＧＥ−ＰＯＮ加入者側装置１２、光ファイバ５６により光映像受信機１３に接続されるようになっている。さらにＧＥ−ＰＯＮ加入者側装置１２はケーブル３３により図示しないパソコン（ＰＣ）やスイッチングハブ（ＳＷ−ＨＵＢ）等に接続され、光映像受信機１３はケーブル３４によりやはり図示しない映像受像設備等に接続されている。
【００３２】
本第二の実施の形態においては、映像信号とデータ信号を重畳させた後の信号のうち、データ信号が−２ｄＢｍ以下になるような減衰を与えるようにする。このようにすると図１で説明した第一の実施の形態と同じように映像信号とデータ信号とが重畳された信号にＸＰＭが生じることがなくなるために映像信号とデータ信号それぞれにノイズが発生しないようになる。
【００３３】
なお、本実施の形態においてもデータ信号を減衰させる手段として光減衰器を用いた例で説明しているが、第一の実施の形態と同じように光減衰器に代えて光減衰ファイバを用いてもよい。そしてやはりこの時に用いる光減衰器や光減衰ファイバは、データ信号が１．４９μｍの波長の信号を用いるために１．４９μｍの波長を主体的に減衰させるような機能を有するものであることが好ましい。
【００３４】
さらに本発明の波長多重伝送システムの第三の実施の形態について説明する。図３は本発明の波長多重伝送システムの第三の実施の形態を表す構成例である。図３において、本発明の波長多重伝送システム１は、まず映像信号を伝送するために、放送受信設備２とケーブル３１により接続されている光変調器４、この光変調器４と光ファイバ５１により接続されている光増幅器６、この光増幅器６とやはり光ファイバ５２により接続されている合波用光カプラ７から構成され、一方データ信号を伝送するために、各種サーバやインターネット上位設備などの機器類８とケーブル３２により接続されているＧＥ−ＰＯＮセンター側装置９、このＧＥ−ＰＯＮセンター側装置９とやはり光ファイバ５３により接続されている前記した合波用光カプラ７から構成されているが、合波用光カプラ７のすぐ後に分岐用光カプラ（波長と無関係に光出力パワーを分岐するカプラ）１４を配置し、光ファイバ５４による長距離伝送を行うよりも前に合波用光カプラ７で重畳された後の信号を例えば４分岐して減衰させるようにしている。
【００３５】
これは、ＸＰＭが生じやすくなるための原因の一つに光ファイバによる伝送が長距離化することが挙げられるが、映像信号とデータ信号を重畳した信号を長距離の光ファイバにより伝送させるよりも前に信号を分岐することにより減衰させてＸＰＭが生じないようにするものである。例えば図３に示すように合波用光カプラ７のすぐ後で分岐用光カプラ１４により４分岐し、その後光ファイバ５４により各分岐した信号を長距離伝送させる。長距離伝送された後の信号は例えば１６分岐ずつ各クロージャ１５毎に分けられて図示しない各種機器等に伝送されるようになっている。このようにしてもＸＰＭが生じることがなくなるので映像信号とデータ信号それぞれにノイズが発生しないようになる。
【００３６】
なお、分岐用光カプラの分岐数には特に限定はなく、目的とする減衰量を得るために適宜最適な分岐数を選択すればよい。
【図面の簡単な説明】
【００３７】
【図１】本発明の第一の実施の形態を表す図である。
【図２】本発明の第二の実施の形態を表す図である。
【図３】本発明の第三の実施の形態を表す図である。
【符号の説明】
【００３８】
１・・・波長多重伝送システム
２・・・放送受信設備
４・・・光変調器
６・・・光増幅器
７・・・合波用光カプラ
８・・・機器類
９・・・ＧＥ−ＰＯＮセンター側装置
１０・・・光減衰器
１１・・・分波用光カプラ
１２・・・ＧＥ−ＰＯＮ加入者側装置
１３・・・光映像受信機
１４・・・分岐用光カプラ
１５・・・クロージャ
【図１】
2006129327.tif 000003
【図２】
2006129327.tif 000004
【図３】
2006129327.tif 000005
【手続補正書】
【提出日】平成17年9月6日(2005.9.6)
【手続補正１】
【補正対象書類名】明細書
【補正対象項目名】全文
【補正方法】変更
【補正の内容】
【発明の詳細な説明】
【技術分野】
【０００１】
本発明は、波長の異なるデータ信号や映像信号を１本の光ファイバに重畳して伝送する波長多重伝送システムに関する。
【背景技術】
【０００２】
近年、情報通信ネットワークの進展に伴い、例えばＣＡＴＶ光伝送システムやＦＴＴＨ光伝送システム等１本の光ファイバに異なる波長の信号を重畳して伝送する波長多重伝送システムが提案されている。これは光増幅器の高出力化、低ＮＦ（Ｎｏｉｓｅ  Ｆｉｇｕｒｅ）化が可能になったこと、外部変調方式の光送信機の出現によりアナログの映像信号がＦＴＴＨ上に伝送されるようになったこと等が挙げられる。
【０００３】
このうちＣＡＴＶ光伝送システムは例えば７０〜７７０ＭＨｚの伝送帯域で最大７７チャンネル程度の放送波を周波数多重し、光信号に変換して伝送するものである。このＣＡＴＶ光伝送システムには直接変調方式と外部変調方式の２種類がある。
【０００４】
直接変調方式によるＣＡＴＶ光伝送システムは半導体レーザ（ＬＤ）の電流を映像信号によって変調し、光信号を直接変調、出力させるものである（例えば、特許文献１参照）。直接変調方式ではＬＤのチャーピングと呼ばれる現象により光スペクトルの広がりが発生し、光分散の影響が出やすくなるが安価に構成できる。一方、外部変調方式によるＣＡＴＶ光伝送システムはＬＤでの変調を行わず、外部変調素子を用いて信号変調を行うもので、チャーピング特性に優れているが外部に変調器を設ける必要があるためにコスト面で直接変調方式より高価になる（例えば、特許文献２参照）。
【０００５】
また、ＦＴＴＨ光伝送システムは、各加入者までのアクセス区間を光ファイバ化し、高速な情報通信環境を整備するという構想で、光ファイバ伝送路の途中に受動的な分岐装置（光カプラ）を設けて伝送路を例えば２〜３２本に分岐させたスター型ネットワークであるＰＯＮ（Ｐａｓｓｉｖｅ  Ｏｐｔｉｃａｌ  Ｎｅｔｗｏｒｋ）による光配線形態を構成している（例えば、特許文献３参照）。
【０００６】
【特許文献１】特開昭６３−１６９８３６号公報
【特許文献２】特開２００４−１２０７５３号公報
【特許文献３】特開平６−１７７８４０号公報
【発明の開示】
【発明が解決しようとする課題】
【０００７】
ところで、上記のような従来の技術には、次のような解決すべき課題があった。
【０００８】
即ち、１本の光ファイバに光カプラを用いてデータ信号と光増幅器で増幅された映像信号を重畳して伝送させた場合にしばしば光ファイバの非線形光学効果による非線形クロストークと呼ばれる現象が生じ、お互いの信号に干渉性のノイズが発生する場合がある。特に映像信号が振幅変調によるアナログ方式の場合、データ信号の影響により受信した映像のノイズが顕著に現れる。この非線形クロストークは光ファイバに入射する光パワーが強いほど、また光ファイバが長距離になるほど影響が大きくなる。従って、情報通信ネットワークの発展に伴い光ファイバがより長距離化し、光パワーがより高強度化すればこの非線形クロストークの影響は無視できない問題となる。
【０００９】
上記問題を回避するために映像信号とデータ信号を別々の光ファイバで伝送する２心光ファイバ伝送方式も考えられるが、伝送路には多心数の光ファイバが必要となり、コスト面で高価なものとなりまたシステム構成上からも煩雑となるので好ましくない。
【００１０】
本発明は従来から用いられている１心光ファイバ伝送方式において、非線形クロストークの影響をなくし、データ信号と映像信号それぞれにノイズが発生しない波長多重伝送システムを実現するものである。
【課題を解決するための手段】
【００１１】
本発明は以上の点を解決するため次のような構成からなるものである。
【００１２】
即ち、本発明はまず第１の態様として、波長の異なる映像信号とデータ信号を１本の光ファイバに重畳して伝送する波長多重伝送システムにおいて、前記データ信号を所定量減衰させる手段を設けて伝送することを特徴とする。
【００１３】
また、第２の態様として、前記第１の態様において、前記映像信号とデータ信号を合波用光カプラにより重畳する前に前記データ信号を減衰させる手段を設けることを特徴とする。
【００１４】
さらに、第３の態様として、前記第１の態様または第２の態様において、前記データ信号を減衰させる手段として光減衰器または光減衰ファイバを用いることを特徴とする。
【００１５】
また、第４の態様として、前記第３の態様において、前記光減衰器または光減衰ファイバは１．４９μｍの波長のデータ信号を減衰させるものであることを特徴とする。
【００１６】
さらに、第５の態様として、波長の異なる映像信号とデータ信号を１本の光ファイバに重畳して伝送する波長多重伝送システムにおいて、前記映像信号とデータ信号を合波用光カプラにより重畳した後の合波信号を減衰させる手段を設けることを特徴とする。
【００１７】
また、第６の態様として、前記第５の態様において、前記合波信号のうち、前記データ信号のみを減衰させる手段を設けることを特徴とする。
【００１８】
さらに、第７の態様として、前記第６の態様において、前記データ信号のみを減衰させる手段として光減衰器または光減衰ファイバを用いることを特徴とする。
【００１９】
また、第８の態様として、前記第７の態様において、前記光減衰器または光減衰ファイバは１．４９μｍの波長のデータ信号を減衰させるものであることを特徴とする。
【００２０】
さらに、第９の態様として、前記第５の態様から第８の態様のいずれかの態様において、前記合波信号を減衰させる手段は、前記映像信号とデータ信号を合波用光カプラにより重畳した直後に設けることを特徴とする。
【００２１】
また、第１０の態様として、波長の異なる映像信号とデータ信号を１本の光ファイバに重畳して伝送する波長多重伝送システムにおいて、前記映像信号とデータ信号を合波用光カプラにより重畳した後の合波信号を分岐用光カプラにより分岐して減衰させるものであることを特徴とする。
【００２２】
さらに、第１１の態様として、前記第１０の態様において、前記分波用光カプラは前記映像信号とデータ信号を合波用光カプラにより重畳した直後に設けることを特徴とする。
【発明の効果】
【００２３】
本発明によれば、データ信号を所定量減衰させることにより非線形クロストークの影響をなくし、データ信号、映像信号それぞれにノイズの発生のない波長多重伝送システムを提供できる。
【発明を実施するための最良の形態】
【００２４】
以下、本発明の実施の形態について図を用いて説明する。
【００２５】
図１は本発明の波長多重伝送システムの第一の実施の形態を表す構成例である。図１において、本発明の波長多重伝送システム１は、まず映像信号を伝送するために、放送受信設備２と例えば同軸ケーブル等のケーブル３１により接続されている光変調器４、この光変調器４と光ファイバ５１により接続されている光増幅器６、そしてこの光増幅器６と光ファイバ５２により接続されている合波用光カプラ７から構成されている。
【００２６】
一方データ信号を伝送するために、各種サーバやインターネット上位設備などの機器類８とＵＴＰケーブル（Ｕｎｓｈｉｅｌｄｅｄ  Ｔｗｉｓｔｅｄ  Ｐａｉｒ  Ｃａｂｌｅ）等のケーブル３２により接続されているＧＥ−ＰＯＮ（Ｇｉｇａｂｉｔ  Ｅｔｈｅｒ−Ｐａｓｓｉｖｅ  Ｏｐｔｉｃａｌ  Ｎｅｔｗｏｒｋ）センター側装置９、そしてこのＧＥ−ＰＯＮセンター側装置９とやはり光ファイバ５３により接続されている前記した合波用光カプラ７から構成されているが、ＧＥ−ＰＯＮセンター側装置９と合波用光カプラ７との間の光ファイバ５３の途中にデータ信号を減衰させる手段として光減衰器１０が挿入されている。
【００２７】
前記合波用光カプラ７は長距離伝送用光ファイバ５４により分波用光カプラ（波長フィルタ）１１と接続され、光ファイバ５５によりＧＥ−ＰＯＮ加入者側装置１２、光ファイバ５６により光映像受信機１３に接続されるようになっている。さらにＧＥ−ＰＯＮ加入者側装置１２はＵＴＰケーブル等のケーブル３３により図示しないパソコン（ＰＣ）やスイッチングハブ（ＳＷ−ＨＵＢ）等に接続され、光映像受信機１３は同軸ケーブル等のケーブル３４によりやはり図示しない映像受像設備等に接続されている。
【００２８】
上記のような構成を有する本実施の形態の波長多重伝送システム１の作用を説明すると、まず放送受信設備２からの映像信号がケーブル３１により伝送されて光変調器４により光信号に変調され、光ファイバ５１により光増幅器６に入力される。そしてこの光増幅器６により増幅された映像信号は合波用光カプラ７に入力される。一方、各種サーバやインターネット上位設備などの機器類８からのデータ信号はケーブル３２により伝送されてＧＥ−ＰＯＮセンター側装置９に入力される。
【００２９】
このデータ信号が例えば＋２．５ｄＢｍの光出力パワー強度を有している場合には、映像信号とデータ信号とが重畳された信号に非線形クロストークが生じないためにはデータ信号を−２ｄＢｍ以下にする必要がある。そこでデータ信号を減衰させる手段としてＧＥ−ＰＯＮセンター側装置９と合波用光カプラ７との間の光ファイバ５３からなる伝送路の途中に光減衰器１０を設けてデータ信号を減衰させる。このようにすると映像信号とデータ信号とが重畳された信号に非線形クロストークが生じることがなくなるために映像信号とデータ信号それぞれにノイズが発生しないようになる。
【００３０】
なお、本実施の形態ではデータ信号を減衰させる手段として光減衰器を用いた例で説明しているが、光減衰器に代えて光減衰ファイバを用いてもよい。この時に用いる光減衰器や光減衰ファイバは、データ信号が１．４９μｍの波長の信号を用いるために１．４９μｍの波長を主体的に減衰させるような機能を有するものであることが好ましい。
【００３１】
次に本発明の波長多重伝送システムの第二の実施の形態について説明する。図２は本発明の波長多重伝送システムの第二の実施の形態を表す構成例である。なお、以後図１において説明した箇所と同一の箇所は同一の番号で表すこととする。
【００３２】
図２において、本発明の波長多重伝送システム１は、まず映像信号を伝送するために、放送受信設備２とケーブル３１により接続されている光変調器４、この光変調器４と光ファイバ５１により接続されている光増幅器６、この光増幅器６とやはり光ファイバ５２により接続されている合波用光カプラ７から構成され、一方データ信号を伝送するために、各種サーバやインターネット上位設備などの機器類８とケーブル３２により接続されているＧＥ−ＰＯＮセンター側装置９、このＧＥ−ＰＯＮセンター側装置９と光ファイバ５３により接続されている前記した合波用光カプラ７から構成されているが、本第二の実施の形態では合波用光カプラ７に接続されている長距離伝送用光ファイバ５４の途中、即ち合波用光カプラ７のすぐ後に合波用光カプラ７により合波された信号を減衰させる手段として光減衰器１０が挿入されている。
【００３３】
ここで、光減衰器１０は上記したように合波された信号を減衰させるものであるが、実質的には合波信号のうちの非線形クロストークの発生に影響の大きい１．４９μｍの波長のデータ信号のみを減衰させるものであることが好ましい。なお、光減衰器１０の挿入個所は特に限定されないが、光信号の伝送距離が長くなるほど非線形クロストークの影響が大きくなるためにできる限り合波用光カプラ７の直後に設けることが望ましい。
【００３４】
そして、合波用光カプラ７は光減衰器１０を介して長距離伝送用光ファイバ５４により分波用光カプラ１１と接続され、光ファイバ５５によりＧＥ−ＰＯＮ加入者側装置１２、光ファイバ５６により光映像受信機１３に接続されるようになっている。さらにＧＥ−ＰＯＮ加入者側装置１２はケーブル３３により図示しないパソコン（ＰＣ）やスイッチングハブ（ＳＷ−ＨＵＢ）等に接続され、光映像受信機１３はケーブル３４によりやはり図示しない映像受像設備等に接続されている。
【００３５】
本第二の実施の形態においては、映像信号とデータ信号を重畳させた後の信号のうち、データ信号が−２ｄＢｍ以下になるような減衰を与えるようにする。このようにすると図１で説明した第一の実施の形態と同じように映像信号とデータ信号とが重畳された信号に非線形クロストークが生じることがなくなるために映像信号とデータ信号それぞれにノイズが発生しないようになる。
【００３６】
なお、本実施の形態においてもデータ信号を減衰させる手段として光減衰器を用いた例で説明しているが、第一の実施の形態と同じように光減衰器に代えて光減衰ファイバを用いてもよい。そしてやはりこの時に用いる光減衰器や光減衰ファイバは、データ信号が１．４９μｍの波長の信号を用いるために１．４９μｍの波長を主体的に減衰させるような機能を有するものであることが好ましい。
【００３７】
さらに本発明の波長多重伝送システムの第三の実施の形態について説明する。図３は本発明の波長多重伝送システムの第三の実施の形態を表す構成例である。図３において、本発明の波長多重伝送システム１は、まず映像信号を伝送するために、放送受信設備２とケーブル３１により接続されている光変調器４、この光変調器４と光ファイバ５１により接続されている光増幅器６、この光増幅器６とやはり光ファイバ５２により接続されている合波用光カプラ７から構成され、一方データ信号を伝送するために、各種サーバやインターネット上位設備などの機器類８とケーブル３２により接続されているＧＥ−ＰＯＮセンター側装置９、このＧＥ−ＰＯＮセンター側装置９とやはり光ファイバ５３により接続されている前記した合波用光カプラ７から構成されているが、合波用光カプラ７のすぐ後に分岐用光カプラ（波長と無関係に光出力パワーを分岐するカプラ）１４を配置し、光ファイバ５４による長距離伝送を行うよりも前に合波用光カプラ７で重畳された後の信号を例えば４分岐して減衰させるようにしている。
【００３８】
これは、非線形クロストークが生じやすくなるための原因の一つに光ファイバによる伝送が長距離化することが挙げられるが、映像信号とデータ信号を重畳した信号を長距離の光ファイバにより伝送させるよりも前に信号を分岐することにより減衰させて非線形クロストークが生じないようにするものである。例えば図３に示すように合波用光カプラ７のすぐ後で分岐用光カプラ１４により４分岐し、その後光ファイバ５４により各分岐した信号を長距離伝送させる。長距離伝送された後の信号は例えば１６分岐ずつ各クロージャ１５毎に分けられて図示しない各種機器等に伝送されるようになっている。このようにしても非線形クロストークが生じることがなくなるので映像信号とデータ信号それぞれにノイズが発生しないようになる。
【００３９】
なお、分岐用光カプラの分岐数には特に限定はなく、目的とする減衰量を得るために適宜最適な分岐数を選択すればよい。
【図面の簡単な説明】
【００４０】
【図１】本発明の第一の実施の形態を表す図である。
【図２】本発明の第二の実施の形態を表す図である。
【図３】本発明の第三の実施の形態を表す図である。
【符号の説明】
【００４１】
１・・・波長多重伝送システム
２・・・放送受信設備
４・・・光変調器
６・・・光増幅器
７・・・合波用光カプラ
８・・・機器類
９・・・ＧＥ−ＰＯＮセンター側装置
１０・・・光減衰器
１１・・・分波用光カプラ
１２・・・ＧＥ−ＰＯＮ加入者側装置
１３・・・光映像受信機
１４・・・分岐用光カプラ
１５・・・クロージャ